(57)【要約】      （修正有）【課題】音響エネルギーが減衰される心配が無く、且つスーツケースに投入し忘れる心配がない盗難防止機構を備えたスーツケースを提供する。【解決手段】スーツケースが相対的に携帯端末から一定距離（例えば５ｍ）以上離れると、音発生片２２が警告音を発生する。この警告音は多孔板２１の孔を通り、蓋シェル１２の貫通孔３６を通るため、殆ど減衰されることなく、外部へ発せされる。仮に、盗難防止機構２０を、密閉状態のスーツケースに投入すると、警告音がスーツケースで大いに減衰され、警告効果が弱まる。この点、警告音が殆ど減衰されないため、警告効果が高まる。音発生片などが蓋シェルに常設されているため、盗難防止機構をスーツケースに投入し忘れることはない。【選択図】図３
2018158130.tif 000002
【特許請求の範囲】
【請求項１】
盗難防止機構を備えたスーツケースにおいて、
前記盗難防止機構は、前記スーツケースのシェルと、このシェルの内側に張られる内張との間に配置される物であって、
電気エネルギーの供給を受けて音を発生する音発生片と、前記電気エネルギーを供給する電池と、前記音発生片を制御する基板とを備え、
前記シェルに貫通孔が設けられており、前記音発生片で発生された音が前記貫通孔を通って外部へ放出されることを特徴とする盗難防止機構を備えたスーツケース。
【請求項２】
前記貫通孔は、前記音発生片より大径の１個の孔であり、このような貫通孔にカバー部材が被せられ、
このカバー部材は、円板状のカバー本体部と、このカバー本体部の穴を横断するように水平に前記カバー本体部に一体形成された複数条のルーバー部とを備えていることを特徴とする請求項１記載の盗難防止機構を備えたスーツケース。
【請求項３】
前記カバー部材には、前記ルーバー部より外へ突出し、前記カバー本体部の穴を縦に横断するガード部が更に備えられていることを特徴とする請求項２記載の盗難防止機構を備えたスーツケース。
【請求項４】
前記シェルに設けられる貫通孔は、多数の小孔であり、前記シェルの内側又は外側に水は通さないが空気を通す通気性フィルムが前記貫通孔を塞ぐように張られていることを特徴とする請求項１記載の盗難防止機構を備えたスーツケース。
【請求項５】
前記内張には、ファスナーが設けられており、このファスナーを開けることで前記電池が交換できるようになっていることを特徴とする請求項１〜４のいずれか１項記載の盗難防止機構を備えたスーツケース。
【請求項６】
前記盗難防止機構は、ビスにより、スーツケースの内側から止められていることを特徴とする請求項１記載の盗難防止機構を備えたスーツケース。 
【発明の詳細な説明】
【技術分野】
【０００１】
本発明は、スーツケースに備える盗難防止機構の改良技術に関する。
【背景技術】
【０００２】
スーツケースのための盗難防止機構は、色々な構造のものが提案されてきた（例えば、特許文献１参照）。
【０００３】
特許文献１の図１に示されるように、盗難防止機構（１０）（括弧内数字は、特許文献１記載の符号を示す。以下同様）は、発信ユニット（２０）と受信ユニット（３０）とで構成される。発信ユニット（２０）は使用者が携帯し、受信ユニット（３０）はスーツケースに放置（投入）される（特許文献１段落番号００２２）。受信ユニット（３０）には、アラーム素子の外、振動センサが内蔵される（特許文献１段落番号００１１）。
【０００４】
使用者が携帯する発信ユニット（２０）から一定距離受信ユニット（３０）が離れると、アラームが鳴り出す（特許文献１図４）。すなわち、使用者からスーツケースが一定距離離れると、音信号により、異常が表示され、盗難を防止することができる。
また、一定距離内であっても、スーツケースに振動が加えられると、振動センサが異常を検知し、異常状態が認識され、盗難を防止することができる。
【０００５】
このような利点を有する特許文献１の盗難防止機構（１０）において、次に述べる欠点がある。
先ず、受信ユニット（３０）をスーツケースに投入することを忘れることがある。忘れると盗難防止がなされない。
【０００６】
また、スーツケースは密閉性が良好であるため、スーツケース内の受信ユニット（３０）のアラーム素子で発生する音響エネルギーは、スーツケースのシェルを通過する間に減衰される。減衰を補うには強力なアラーム素子が必要になるが、そうすると強力な電池が必要となり、受信ユニット（３０）が大型で重くなる。
【０００７】
スーツケースの軽量化を求められる中、受信ユニット（３０）が重くなることは好ましくない。さらには、振動センサが必須であるため、受信ユニット（３０）が高価になる。
【０００８】
これらの欠点が解消しうる構造の盗難防止機構が望まれる。
【先行技術文献】
【特許文献】
【０００９】
【特許文献１】特開２００２−９２７５２号公報
【発明の概要】
【発明が解決しようとする課題】
【００１０】
本発明は、振動センサが不要で、音響エネルギーが減衰される心配が無く、且つスーツケースに投入し忘れる心配がないような盗難防止機構を備えたスーツケースを提供することを課題とする。
【課題を解決するための手段】
【００１１】
請求項１に係る発明は、盗難防止機構を備えたスーツケースにおいて、
前記盗難防止機構は、前記スーツケースのシェルと、このシェルの内側に張られる内張との間に配置される物であって、
電気エネルギーの供給を受けて音を発生する音発生片と、前記電気エネルギーを供給する電池と、前記音発生片を制御する基板とを備え、
前記シェルに貫通孔が設けられており、前記音発生片で発生された音が前記貫通孔を通って外部へ放出されることを特徴とする。
【００１２】
請求項２に係る発明では、貫通孔は、音発生片より大径の１個の孔であり、このような貫通孔にカバー部材が被せられ、このカバー部材は、円板状のカバー本体部と、このカバー本体部の穴を横断するように水平にカバー本体部に一体形成された複数条のルーバー部とを備えていることを特徴とする。
【００１３】
請求項３に係る発明では、カバー部材には、ルーバー部より外へ突出し、カバー本体部の穴を縦に横断するガード部が更に備えられていることを特徴とする。
【００１４】
請求項４に係る発明では、シェルに設けられる貫通孔は、多数の小孔であり、シェルの内側又は外側に水は通さないが空気を通す通気性フィルムが貫通孔を塞ぐように張られていることを特徴とする。
【００１５】
請求項５に係る発明では、内張には、ファスナーが設けられており、このファスナーを開けることで電池が交換できるようになっていることを特徴とする。
【００１６】
請求項６に係る発明では、盗難防止機構は、ビスにより、スーツケースの内側から止められていることを特徴とする。
【発明の効果】
【００１７】
請求項１に係る発明では、スーツケースのシェルに貫通孔が設けられており、音発生片で発生された音が貫通孔を通って外部へ放出されるため、音響エネルギーが減衰される心配が無い。また、音発生片がシェルに付設されているため、スーツケースに投入し忘れる心配がない。さらには、音発生片を採用したので、振動センサが不要となる。
したがって、本発明により、振動センサが不要で、音響エネルギーが減衰される心配が無く、且つスーツケースに投入し忘れる心配がないような盗難防止機構を備えたスーツケースが提供される。
【００１８】
請求項２に係る発明では、シェルに開けた貫通孔をカバー部材で被い、このカバー部材に複数条のルーバー部を備えた。雨水がシェル内に向かうことをルーバー部で防ぐことができる。
【００１９】
請求項３に係る発明では、ルーバー部にガード部を更に備えた。ガード部でルーバー部が保護されるため、ルーバー部が傷む心配がない。
【００２０】
請求項４に係る発明では、シェルに多数の小孔を設け、これらの小孔を遮水通気性フィルムで塞ぐようにした。シェルの外観性が高まる。
【００２１】
請求項５に係る発明では、シェルの内張にファスナーを設けたので、電池の交換が容易である。
【００２２】
請求項６に係る発明では、盗難防止機構は、スーツケースの内側から止められているので、盗難防止機構が簡単に外される心配がない。
【図面の簡単な説明】
【００２３】
【図１】本発明に係る盗難防止機構を備えたスーツケースの斜視図である。
【図２】盗難防止機構の正面図である。
【図３】盗難防止機構の断面図である。
【図４】内張を示す図である。
【図５】スーツケースの変更例を示す斜視図である。
【図６】変更例に係る盗難防止機構の断面図である。
【発明を実施するための形態】
【００２４】
本発明の実施の形態を添付図に基づいて以下に説明する。なお、図面は符号の向きに見るものとする。
【実施例】
【００２５】
図１に示すように、スーツケース１０は、物入れの主体である本体シェル１１と、この本体シェル１１の開口を塞ぐ蓋シェル１２と、本体シェル１１に引き出し可能に設けられる伸縮ハンドル１３と、本体シェル１１の底に設けられる２個のキャスター１４（右奥の１個は見えない。）と、蓋シェル１２の底に設けられる２個のキャスター１５とを備えている。使用者が手でスーツケース１０を持ち上げるときに用いる非伸縮形のハンドル１６も備えている。
【００２６】
この例では、蓋シェル１２の中央に、盗難防止機構２０を備えている。
盗難防止機構２０は、本体シェル１１に設けることも可能である。
盗難防止機構２０は、スーツケース１０の使用者が携帯する携帯端末１８で操作される。
【００２７】
携帯端末１８は、盗難防止機構２０を操作するアプリケーションソフトを内蔵している。アプリケーションソフトは、盗難防止機構２０から発せられる電波の強度を監視するものである。携帯端末１８と盗難防止機構２０との距離が広がると電波は弱くなる。
【００２８】
利用者は、携帯端末１８を操作することにより、次に述べる動作が可能となる。
・盗難防止機構２０の起動操作（休止状態を作動状態に切換える。起動後は電池の消耗が大きくなる。）
・・作動状態では、スーツケース１０と携帯端末１８とが一定の距離（例えば５ｍ）以上離れると、異常表示としての警告音を盗難防止機構２０で発生させる。
・・作動状態では、スーツケース１０と携帯端末１８との距離が一定距離（例えば５ｍ）以内であれば、盗難防止機構２０は警告音を発生させない。
・警告音を人為的に消音させる操作。
・電池の残量を表示させること。
・電池の交換を促す表示させること。
・盗難防止機構２０の停止操作（作動状態を休止状態に切換える。スリープ状態になり電池の消耗が最小となる）。
【００２９】
図２に示すように、蓋シェル１２を外から見ると、円形のカバー部材３０が見える。
カバー部材３０は、ドーナッツ板状のカバー本体部３１と、このカバー本体部３１の開口を水平に横断するルーバー部３２と、これらのルーバー部３２にクロスしてカバー本体部３１の開口を縦に横断するガード部３３とを備える樹脂成形品又は軽金属成形品である。
【００３０】
図３に示すように、盗難防止機構２０は、金属板又は樹脂板に多数の小孔を設けてなる多孔板２１と、この多孔板２１の背後に配置される音発生片２２と、この音発生片２２を支えるホルダー板２３と、基板２４と、この基板２４に実装される電池ホルダー部２５及び押しボタンスイッチ２６と、電池ホルダー部２５に挿入される電池２７と、電池蓋２８を備え基板２４を被う裏蓋２９と、この裏蓋２９をカバー部材３０に締結するビス２９Ｂとからなる。
【００３１】
音発生片２２は、圧電素子など電気エネルギーの供給を受けて高速で振動する振動片である。
蓋シェル１２は、カバー部材３０を収納する凹部３５を有し、この凹部３５の中央に１個の貫通孔３６を有する。
凹部３５の外側にカバー部材３０が取付けられ、凹部３５の内側に多孔板２１、ホルダー板２３、基板２４、裏蓋２９がこの順で重ねられ、ビス２９Ｂで一括して締結される。
【００３２】
これらのビス２９Ｂはスーツケース１０内から回すことができる。すなわち、ビス２９Ｂは、スーツケース１０の外から回すことができないため、防犯性が高まる。
以上の構成からなる盗難防止機構２０は、蓋シェル１２と内張３８との間に収められている。
【００３３】
図４に示すように、内張３８にはファスナー３９が設けられており、このファスナー３９を開けることにより、電池蓋２８を外して、電池２７を交換することができる。なお、ファスナー３９は、リニアーファスナーを基本とするが、面ファスナーであっても良い。
【００３４】
また、押しボタンスイッチ２６は、通常は操作しない。携帯端末１８での停止操作が困難なとき（携帯端末１８が手元にないが、警報音を止めたいときなど）にだけ、この押しボタンスイッチ２６で、警報音を人為的に止めることができる。押しボタンスイッチ２６は、スーツケース１０の外からは操作できないため、防犯性が高まる。
【００３５】
図１に示すスーツケース１０が相対的に携帯端末１８から一定距離（例えば５ｍ）以上離れると、図３に示す音発生片２２が警告音を発生する。この警告音は多孔板２１の孔を通り、蓋シェル１２の貫通孔３６を通るため、殆ど減衰されることなく、外部へ発せされる。
【００３６】
仮に、盗難防止機構を、密閉状態のスーツケース１０に投入すると、警告音がスーツケース１０で大いに減衰され、警告効果が弱まる。
この点、本発明では、警告音が殆ど減衰されないため、警告効果が高まる。
【００３７】
また、蓋シェル１２に貫通孔３６を設けたために、雨水の浸入が心配されるが、ルーバー部３２が雨水の侵入を防止するため、問題はない。
ただし、ルーバー部３２は、構造的に脆弱であり、障害物が当たると変形する。そこで、ガード部３３をルーバー部３２よりも外へ出すようにした。外部の障害物はガード部３３に当たるもののルーバー部３２に達する心配がない。
【００３８】
図１に示すように、スーツケース１０は蓋シェル１２の中央に円形のカバー部材３０が見える。カバー部材３０が円形スピーカーに見えることから、スーツケース１０に警告音を発すると盗難防止機構２０が付設されていることが、周囲の人に知らされ、この点からも警告効果が期待される。
【００３９】
円形のカバー部材３０が、ワンポイントアクセサリーとなり、既存のスーツケースと差別化を図ることができるという見方がある。
この見方は一部のスーツケース利用者の支持を得ることができる。反面、ワンポイントアクセサリーがない無難な（目立たない）外観のスーツケースを好む利用者も存在する。そこで、無難なスーツケースに近いスーツケース１０Ｂを、図５、図６に基づいて説明する。
【００４０】
図５に示すように、スーツケース１０Ｂでは、蓋シェル１２の中央に円形の盗難防止機構２０Ｂが備えられている。図１と同じ構成要素には、図１の符号を流用し、詳細な説明は省略する。
【００４１】
図６に示すように、盗難防止機構２０Ｂは、蓋シェル１２に直接設けた複数の貫通孔３６と、音発生片２２と、ホルダー板２３と、基板２４と、電池２７と、押しボタンスイッチ２６と、裏蓋２９と、ビス２９Ｂとからなる。
【００４２】
蓋シェル１２に極く浅い凹部３５を設け、この凹部３５に小孔である貫通孔３６を設ける。これらの貫通孔３６を被うようにして、遮水通気性フィルム４１を貼る。遮水通気性フィルム４１は、樹脂膜に空気の分子より大径で水の分子より小径の微細孔を無数に開けてなるフィルムである。遮水通気性フィルム４１は、シェル１２の外面に貼ることを原則とするが、剥がれを防止するために、シェル１２の内面に貼ってもよい。
【００４３】
図５にて、蓋シェル１２の色と遮水通気性フィルム４１の色とを合わせることで、無難なスーツケース１０Ｂが得られる。なお、蓋シェル１２の色に対して、遮水通気性フィルム４１を異色にすることで、識別性を高めることは差し支えない。
【００４４】
なお、スーツケース１０、１０Ｂは、角形カバン、トランクを含む広義のスーツケースである。
【産業上の利用可能性】
【００４５】
本発明は、盗難事件が多発する地域で使用するスーツケースに好適である。
【符号の説明】
【００４６】
１０、１０Ｂ…スーツケース
１２…シェル（蓋シェル）
１８…携帯端末
２０、２０Ｂ…盗難防止機構
２２…音発生片
２４…基板
２７…電池
２９Ｂ…ビス
３０…カバー部材
３１…カバー本体部
３２…ルーバー部
３３…ガード部
３６…貫通孔
３８…内張
３９…ファスナー
４１…遮水通気性フィルム
【図１】
2018158130.tif 000003
【図２】
2018158130.tif 000004
【図３】
2018158130.tif 000005
【図４】
2018158130.tif 000006
【図５】
2018158130.tif 000007
【図６】
2018158130.tif 000008